(57)【特許請求の範囲】
【請求項１】
少なくとも表裏二枚のシート材がシールされた略矩形の包装体を搬送する繰り出し機構であって、
少なくとも前記包装体の繰り出し方向前側となる前側端において、その両側がシール部分とされるとともに前記前側端が開口部とされ、
前記包装体が略水平状態に積層されたストック部と、
該ストック部の下端に位置し、前記繰り出し方向に駆動可能とされて最下位置の前記包装体を繰り出し面の摩擦により前記繰り出し方向に繰り出し可能な繰り出しベルトと、
前記ストック部下端位置で前記繰り出しベルトの繰り出し面上側位置に配置され前記最下位置の前記包装体よりも上側位置の前記包装体を摩擦により留める摩擦部と、
を備え、
前記摩擦部が、前記包装体の前記シール部分に当接する
ことを特徴とする繰り出し機構。
【請求項２】
前記摩擦部において、前記シール部分に当接する部分の摩擦力が前記繰り出し方向と直交する幅方向において前記包装体外側位置が低くなるよう設定されていることを特徴とする請求項１記載の繰り出し機構。
【請求項３】
前記摩擦部がシート分離ローラとされ、前記繰り出しベルトの駆動ローラと平行な軸線を有するよう配置されることを特徴とする請求項１または２記載の繰り出し機構。
【請求項４】
前記摩擦部のシート分離ローラを、前記繰り出し方向および前記繰り出し方向と逆向きに所定量回動可能とする回転状態設定手段を有することを特徴とする請求項３記載の繰り出し機構。
【請求項５】
前記回転状態設定手段において、前記シート分離ローラが回動可能とされる量が、
前記繰り出しベルトが前記繰り出し方向と逆向きに駆動された後に前記繰り出し方向に駆動された際に、
前記上側位置の包装体と前記摩擦部との当接位置が、前記上側位置の包装体における前側端部より前記繰り出し方向逆側位置の上面位置となる送り量として設定されることを特徴とする請求項４記載の繰り出し機構。
【請求項６】
少なくとも表裏二枚のシート材がシールされた略矩形の包装体を搬送する繰り出し方法であって、
少なくとも前記包装体の繰り出し方向前側となる前側端において、その両側がシール部分とされるとともに前記前側端が開口部とされ、
前記包装体が積層されたストック部から、
該ストック部の下端に位置して繰り出し面が前記ストック部における前記包装体の主面と略平行に配置された前記繰り出し方向に駆動可能な繰り出しベルトを駆動することで、最下位置の前記包装体を前記繰り出し面の摩擦により前記繰り出し方向に送り出すとともに、
前記ストック部下端位置で前記繰り出しベルトの繰り出し面上側位置に配置された摩擦部が、前記最下位置の前記包装体よりも上側位置の前記包装体の前記シール部分に当接することにより、前記上側位置の前記包装体を摩擦により前記ストック部内に留める際に、
前記繰り出しベルトを前記繰り出し方向と逆向きに駆動した後に、前記繰り出し方向に駆動して、
前記上側位置の包装体と前記摩擦部との当接位置を、前記上側位置の包装体における前側端部より前記繰り出し方向逆側位置の上面位置となるように設定することを特徴とする繰り出し方法。
【発明の詳細な説明】
【技術分野】
【０００１】
本発明は繰り出し機構および繰り出し方法に関し、特に医療器具の包装体など前側開口状態での一枚ごとの繰り出しをおこなう繰り出し機構および繰り出し方法に用いて好適な技術に関する。
【背景技術】
【０００２】
医療器具等を封入する包装体は、特許文献１に記載されるように、表裏二面の周囲をシールした状態で包装されている。
このような包装体では、内容物を包装する前に、まず、収納する包装体ごとに表示ラベルを貼り付ける貼り付け工程後に、内部への収納工程へと送られる。
【０００３】
これらの貼り付け工程および収納工程において、包装体は、少なくともその両側部がシールされ、繰り出し方向前側が開口した状態で一枚ごとに繰り出されることが必要である。医療用包装体は、易開封性を有するために長辺２辺がシールされ、短辺片方では先端よりも内側がシールされて先端側が、開封用の把持部としてシールされない領域とされるとともに、残りの短辺は内容物を封入するために開口した状態とされて搬送されている。医療用の包装体では、収納される医療用品を内部に挿入する前に、一枚ごとに品名・型番・製造部・使用期限等が明記された表示ラベルを貼り付ける。
【０００４】
その後、開口部から医療器具や医療材料等の医療用品を挿入した後、この開口部をシールして保管されることになる。その後、医療用品の使用時には開封用の把持部から包装体を引き裂くことで内容物を取り出して使用に供される。
【０００５】
このような医療用の包装体を大量生産する場合、自動化することが好ましい。その場合には、大量の医療用包装体を積層した状態でストックし、この状態から一枚ずつ流していき、表裏面のいずれかに表示ラベルを貼り付けることになる。
【０００６】
一般に、積層されているシートを一枚ずつ分離させて搬送する方法として、シートの下側に移動する搬送面を有する繰り出しベルトと、繰り出しベルトの搬送面上側に固定された摩擦材とを用いて、これらの摩擦力によりシートを分離させ、さらに、積層されたシートの最下層の一枚を繰り出しベルトの駆動によって送るとともに、最下層よりも上のシートを摩擦材によって、繰り出しを止めるものが知られている。
【０００７】
このような、袋状の包装体の送り構成としては、特許文献２，３に記載されるものが知られている。これらの構成におけるメリットは、他の方法に比べて単位時間当たりの処理能力が高いことが挙げられる。
【先行技術文献】
【特許文献】
【０００８】
【特許文献１】特開２００５−１３２４９１号公報
【特許文献２】特開平１０−００７２７６号公報
【特許文献３】特開昭６２−２１６２９号公報
【発明の概要】
【発明が解決しようとする課題】
【０００９】
包装体に対する表示ラベルの貼り付け工程においては、包装体が、開封用の把持部としてシールされない領域を繰り出し方向後側に位置した状態で送り出されることになる。これは、包装体の長辺を繰り出し方向前側としての繰り出すと、短辺の長さが短い場合に、繰り出しベルトに対する接触面積が少なくなり、安定して繰り出すことができないためである。また、短辺を前側とする繰り出しでは、把持部となる未シールの部分が摩擦材に引っ掛かってしまい、繰り出すことができないためである。
【００１０】
上記の文献に記載される繰り出し機構としては、繰り出し方向前側が開口した包装体を搬送するものではないため、医療用の包装体の繰り出しに適用した場合、前側となる開口部分がめくれる等の原因により、折れ・曲がりが発生する可能性や、これに起因する傷発生の可能性があった。
さらに、後工程である内容物の収納時に折れ・曲がりが発生していると、収納を容易におこなうことができないという問題があった。
【００１１】
本発明は、上記の事情に鑑みてなされたもので、以下の目的を達成しようとするものである。
１．前側を開口部として両側のシールされた包装体を送る際に、折れ・曲がりの発生を防止すること。
２．傷の発生を防止すること。
３．安定した送りの実現を可能とすること。
４．単位時間当たりの送り枚数が低下しないようにすること。
【課題を解決するための手段】
【００１２】
本発明の繰り出し機構は、少なくとも表裏二枚のシート材がシールされた略矩形の包装体を搬送する繰り出し機構であって、
少なくとも前記包装体の繰り出し方向前側となる前側端において、その両側がシール部分とされるとともに前記前側端が開口部とされ、
前記包装体が略水平状態に積層されたストック部と、
該ストック部の下端に位置し、前記繰り出し方向に駆動可能とされて最下位置の前記包装体を繰り出し面の摩擦により前記繰り出し方向に繰り出し可能な繰り出しベルトと、
前記ストック部下端位置で前記繰り出しベルトの繰り出し面上側位置に配置され前記最下位置の前記包装体よりも上側位置の前記包装体を摩擦により留める摩擦部と、
を備え、
前記繰り出し面が前記ストック部における前記包装体の主面と略平行に配置され、
前記摩擦部が、前記包装体の前記シール部分に当接することにより上記課題を解決した。
本発明の前記摩擦部において、前記シール部分に当接する部分の摩擦力が前記繰り出し方向と直交する幅方向において前記包装体外側位置が低くなるよう設定されていることが可能である。
また、本発明において、前記摩擦部がシート分離ローラとされ、前記繰り出しベルトの駆動ローラと平行な軸線を有するよう配置される手段か、前記摩擦部のシート分離ローラを、前記繰り出し方向および前記繰り出し方向と逆向きに所定量回動可能とする回転状態設定手段を有する手段を採用することもできる。
また、前記回転状態設定手段において、前記シート分離ローラが回動可能とされる量が、
前記繰り出しベルトが前記繰り出し方向と逆向きに駆動された後に前記繰り出し方向に駆動された際に、
前記上側位置の包装体と前記摩擦部との当接位置が、前記上側位置の包装体における前側端部より前記繰り出し方向逆側位置の上面位置となる送り量として設定されることができる。
本発明の繰り出し方法は、少なくとも表裏二枚のシート材がシールされた略矩形の包装体を搬送する繰り出し方法であって、
少なくとも前記包装体の繰り出し方向前側となる前側端において、その両側がシール部分とされるとともに前記前側端が開口部とされ、
前記包装体が積層されたストック部から、
該ストック部の下端に位置して繰り出し面が前記ストック部における前記包装体の主面と略平行に配置された前記繰り出し方向に駆動可能な繰り出しベルトを駆動することで、最下位置の前記包装体を前記繰り出し面の摩擦により前記繰り出し方向に送り出すとともに、
前記ストック部下端位置で前記繰り出しベルトの繰り出し面上側位置に配置された摩擦部が、前記最下位置の前記包装体よりも上側位置の前記包装体の前記シール部分に当接することにより、前記上側位置の前記包装体を摩擦により前記ストック部内に留める際に、
前記上側位置の包装体と前記摩擦部との当接位置を、前記上側位置の包装体における前側端部より前記繰り出し方向逆側位置の上面位置となるように設定することができる。
【００１３】
本発明の繰り出し機構は、少なくとも表裏二枚のシート材がシールされた略矩形の包装体を搬送する繰り出し機構であって、
少なくとも前記包装体の繰り出し方向前側となる前側端において、その両側がシール部分とされるとともに前記前側端が開口部とされ、
前記包装体が略水平状態に積層されたストック部と、
該ストック部の下端に位置し、前記繰り出し方向に駆動可能とされて最下位置の前記包装体を繰り出し面の摩擦により前記繰り出し方向に繰り出し可能な繰り出しベルトと、
前記ストック部下端位置で前記繰り出しベルトの繰り出し面上側位置に配置され前記最下位置の前記包装体よりも上側位置の前記包装体を摩擦により留める摩擦部と、
を備え、
前記繰り出し面が前記ストック部における前記包装体の主面と略平行に配置され、
前記摩擦部が、前記包装体の前記シール部分に当接することにより、最下位置の包装体を繰り出しベルトの駆動によって繰り出す際に、摩擦部により上側位置の包装体におけるシール部分のみに当接して、上側位置の包装体における包装体前側端において、幅方向両側のシール部分とシール部分との間に位置する開口部には摩擦部が当接しないため、開口部がめくれてしまい、折れ・曲がりが発生することを防止することが可能となる。
【００１４】
本発明の前記摩擦部において、前記シール部分に当接する部分の摩擦力が前記繰り出し方向と直交する幅方向において前記包装体外側位置が低くなるよう設定されていることにより、折れの発生しやすいコシのない包装体であっても、折れ・曲がりの発生しやすい包装体外側位置において摩擦部による包装体の保持を弱くするとともに、シール部分の幅方向内側位置によって主に摩擦部による包装体の保持をおこなうことにより、包装体幅方向外側端部における折れ・曲がりの発生を低減可能として上側位置の包装体を押さえ、最下位置の包装体を繰り出すことができる。
【００１５】
また、本発明において、前記摩擦部がシート分離ローラとされ、前記繰り出しベルトの駆動ローラと平行な軸線を有するよう配置される手段か、前記摩擦部のシート分離ローラを、前記繰り出し方向および前記繰り出し方向と逆向きに所定量回動可能とする回転状態設定手段を有する手段を採用することにより、上側位置の包装体における前端部がシート分離ローラの下端位置に当接した状態において、上側位置の包装体に折れや曲げの発生する変形力が作用していない状態で、繰り出しベルトを繰り出し方向と逆向きに回転させた後に繰り出し方向に回転させることによって、シート分離ローラが繰り出し方向に所定量回動することで、上側位置の包装体に折れや曲げの発生する変形力が作用していない状態を維持したまま、上側位置の包装体の前端部をシート分離ローラの回動と同量繰り出し方向に繰り出すことができ、これにより、上側位置の包装体の上面がシート分離ローラ下端位置に当接して、折れ・曲がりの発生を低減可能な状態として上側位置の包装体を押さえたまま、最下位置の包装体を繰り出すことが可能となる。
【００１６】
同時に、シート分離ローラの前記回転停止状態において設定される回動可能な所定量以上に繰り出しベルトを繰り出し方向と逆向きに回転させることによって、繰り出しベルトの動きに従ってシート分離ローラが回転し、摩擦部におけるシート分離ローラが上側位置の包装体に接触する位置を変化させることができる。これにより、摩擦部におけるシート分離ローラが上側位置の包装体に接触する部分が変化しない場合この部分のみが摩耗して、シート分離ローラと繰り出しベルトとの離間した隙間が変化してしまい、包装体に対する摩擦が変化して、繰り出しが良好におこなえなくなってしまうことを防止することができる。
【００１７】
また、前記回転状態設定手段において、前記シート分離ローラが回動可能とされる量が、
前記繰り出しベルトが前記繰り出し方向と逆向きに駆動された後に前記繰り出し方向に駆動された際に、
前記上側位置の包装体と前記摩擦部との当接位置が、前記上側位置の包装体における前側端部より前記繰り出し方向逆側位置の上面位置となる送り量として設定されることにより、前記繰り出しベルトが前記繰り出し方向と逆向きに駆動された後に前記繰り出し方向に駆動された際に、上側位置の包装体の前側端部が、摩擦部よりも繰り出し方向前側（下流側）位置となるため、上側位置の包装体の前側端部において、折れ・曲がりが発生することを防止できる。
【００１８】
本発明の繰り出し方法は、少なくとも表裏二枚のシート材がシールされた略矩形の包装体を搬送する繰り出し方法であって、
少なくとも前記包装体の繰り出し方向前側となる前側端において、その両側がシール部分とされるとともに前記前側端が開口部とされ、
前記包装体が積層されたストック部から、
該ストック部の下端に位置して繰り出し面が前記ストック部における前記包装体の主面と略平行に配置された前記繰り出し方向に駆動可能な繰り出しベルトを駆動することで、最下位置の前記包装体を前記繰り出し面の摩擦により前記繰り出し方向に送り出すとともに、
前記ストック部下端位置で前記繰り出しベルトの繰り出し面上側位置に配置された摩擦部が、前記最下位置の前記包装体よりも上側位置の前記包装体の前記シール部分に当接することにより、前記上側位置の前記包装体を摩擦により前記ストック部内に留める際に、
前記繰り出しベルトを前記繰り出し方向と逆向きに駆動した後に、前記繰り出し方向に駆動して、
前記上側位置の包装体と前記摩擦部との当接位置を、前記上側位置の包装体における前側端部より前記繰り出し方向逆側位置の上面位置となるように設定することにより、摩擦部により上側位置の包装体におけるシール部分のみに当接して、上側位置の包装体における前側端において幅方向両側となるシール部分とシール部分との間に位置する開口部には摩擦部が当接しないため、開口部がめくれてしまい、折れ・曲がりが発生することを防止することが可能となり、前記繰り出しベルトが前記繰り出し方向と逆向きに駆動された後に前記繰り出し方向に駆動された際に、上側位置の包装体の前側端部が、摩擦部よりも繰り出し方向前側（下流側）に突出した位置となるため、最下位置の包袋の繰り出し時に、上側位置の包装体前側端部が摩擦部に当接することがなくなり、折れの発生しやすい上側位置の包装体前側端部に変形力が作用することがないため、この上側位置の包装体の前側端部において、折れ・曲がりが発生することを防止できる。
【００１９】
また、本発明の繰り出し方法は、前記摩擦部と前記包装体上面との間の摩擦Ｆ１、前記上側位置の包装体下面と前記最下位置の包装体上面との摩擦Ｆ２、前記最下位置の包装体下面と前記繰り出しベルトの繰り出し面との摩擦Ｆ３が、  
Ｆ１＞Ｆ２
Ｆ３＞Ｆ２
となるように設定されていることにより、最下位置の包装体のみを繰り出しベルトで送り出す際に、この最下位置の包装体が繰り出しベルトの繰り出し面に接触していることで、最下位置の包装体が繰り出しベルトの繰り出し面と同速度で移動可能とされ、同時に、上側位置の包装体上面に摩擦部が接触することで、上側位置の包装体が移動しない状態とするとともに、さらに、最下位置の包装体上面と上側位置の包装体下面とが接触しつつ摺動して互いに移動可能とされることができる。これにより、最下位置の包装体のみを繰り出し方向に送り出すことが可能となる。
【００２０】
本発明においては、前記摩擦部の前記シール部分に当接する部分の摩擦を、前記繰り出し方向と直交する幅方向において前記包装体外側位置が低くなるよう設定することにより、折れ・曲がりの発生しやすい包装体の幅方向外側位置において摩擦部による包装体の保持を弱くするとともに、シール部分の幅方向内側位置によって主に摩擦部による包装体の保持をおこなうことが可能となり、これにより、包装体幅方向外側端部における折れ・曲がりの発生を低減可能とすることができる。
【００２１】
本発明においては、前記摩擦部において、前記繰り出しベルトの駆動ローラと平行な軸線を有するシート分離ローラによって、前記上側位置の前記包装体を摩擦により前記ストック部内に留めるとともに、
回転状態設定手段によって、前記シート分離ローラが、前記繰り出しベルトの駆動ローラの駆動に対して、前記繰り出し方向への駆動に追従して回転停止した回転停止状態とされるとともに、前記繰り出し方向と逆向きの駆動に追従して回転可能な回転可能状態とされ、かつ、
前記回転状態設定手段によって、前記シート分離ローラが、前記回転停止状態において、前記繰り出し方向および前記繰り出し方向と逆向きに所定量回動可能とされることにより、上側位置の包装体における前端部がシート分離ローラの下端位置に当接した状態において、上側位置の包装体に折れや曲げの発生する変形力が作用していない状態で、繰り出しベルトを繰り出し方向と逆向きに回転させた後に繰り出し方向に回転させることによって、シート分離ローラが繰り出し方向に所定量回動することで、上側位置の包装体に折れや曲げの発生する変形力が作用していない状態を維持したまま、上側位置の包装体の前端部をシート分離ローラの回動と同量繰り出し方向に繰り出すことができ、これにより、上側位置の包装体の上面がシート分離ローラ下端位置に当接して、折れ・曲がりの発生を低減可能な状態として上側位置の包装体を押さえたまま、最下位置の包装体を繰り出すことが可能となる。つまり、前記繰り出しベルトが前記繰り出し方向と逆向きに駆動された後に前記繰り出し方向に駆動された際に、上側位置の包装体の前側端部が、摩擦部よりも繰り出し方向前側（下流側）位置となるため、最下位置の包袋の繰り出し時に上側位置の包装体前側端部が摩擦部に当接することがなくなり、この上側位置の包装体の前側端部において、折れ・曲がりが発生することを防止できる。
【００２２】
同時に、繰り出しベルトを繰り出し方向と逆向きに回転させることによって、繰り出しベルトの動きに従ってシート分離ローラが回転し、摩擦部におけるシート分離ローラが上側位置の包装体に接触する位置を変化させることができる。これにより、摩擦部におけるシート分離ローラが上側位置の包装体に接触する部分が変化せず、この部分のみが摩耗して、シート分離ローラと繰り出しベルトとの離間した隙間が変化してしまい、包装体に対する摩擦が変化して、繰り出しが良好におこなえなくなることを防止することができる。
【００２３】
本発明においては、前記回転状態設定手段によって、前記シート分離ローラが回動可能とされる量が、
前記繰り出しベルトが前記繰り出し方向と逆向きに駆動された後に前記繰り出し方向に駆動された際に、
前記上側位置の包装体と前記摩擦部との当接位置が、前記上側位置の包装体における前側端部より前記繰り出し方向逆側位置の上面位置となる送り量として設定されることにより、前記繰り出しベルトが前記繰り出し方向と逆向きに駆動された後に前記繰り出し方向に駆動された際に、上側位置の包装体の前側端部が、摩擦部よりも繰り出し方向前側（下流側）位置となるため、最下位置の包袋の繰り出し時に上側位置の包装体前側端部が摩擦部に当接して折れ発生力を受けることがなくなり、この上側位置の包装体の前側端部において、折れ・曲がりが発生することを防止できる。
【発明の効果】
【００２４】
本発明によれば、前側を開口部として両側のシールされた包装体を送る際に、折れ・曲がりの発生を防止し、傷の発生を防止し、安定した送りの実現を可能とし、単位時間当たりの送り枚数の低減を防止することができるという効果を奏することが可能となる。
【図面の簡単な説明】
【００２５】
【図１】本発明に係る繰り出し機構の第１実施形態において送られる包装体を示す斜視図である。
【図２】本発明に係る繰り出し機構の第１実施形態を備えた装置を説明するための側面図である。
【図３】本発明に係る繰り出し機構の第１実施形態を示す斜視図である。
【図４】本発明に係る繰り出し機構の第１実施形態における回転状態設定手段を示す拡大正断面図である。
【図５】本発明に係る繰り出し機構の第１実施形態における回転状態設定手段を示す拡大側断面図である。
【図６】本発明に係る繰り出し機構の第１実施形態における回転状態設定手段を示す拡大正断面図である。
【図７】本発明に係る繰り出し機構の第１実施形態における回転状態設定手段を示す拡大側断面図である。
【図８】本発明に係る繰り出し機構の第１実施形態における回転状態設定手段を示す拡大側断面図である。
【図９】本発明に係る繰り出し機構の第１実施形態における回転状態設定手段を示す側面図である。
【図１０】本発明に係る繰り出し機構の第１実施形態における摩擦部を示す斜視図である。
【図１１】本発明に係る繰り出し機構の第１実施形態における摩擦部を示す斜視図である。
【図１２】本発明に係る繰り出し機構の第１実施形態における摩擦部を示す正断面図である。
【図１３】本発明に係る繰り出し機構の第１実施形態における回転状態設定手段を示す側段面図である。
【図１４】本発明に係る繰り出し機構の第１実施形態における摩擦部の回転状態を示す即断面図である。
【図１５】本発明に係る繰り出し機構の第１実施形態における摩擦部の回転状態を示す即断面図である。
【図１６】本発明に係る繰り出し機構の第１実施形態における回転状態設定手段を示す拡大正断面図である。
【図１７】本発明に係る繰り出し機構の第１実施形態における回転状態設定手段を示す拡大側断面図である。
【図１８】本発明に係る繰り出し方法の第１実施形態における繰り出し工程を説明するための側面図である。
【図１９】本発明に係る繰り出し方法の第１実施形態における繰り出し工程を説明するための側面図である。
【図２０】本発明に係る繰り出し方法の第１実施形態における繰り出し工程を説明するための側面図である。
【図２１】本発明に係る繰り出し方法の第１実施形態における繰り出し工程を説明するための側面図である。
【発明を実施するための形態】
【００２６】
以下、本発明に係る繰り出し機構および繰り出し方法の第１実施形態を、図面に基づいて説明する。
図１は、本実施形態において繰り出される包装体を示す斜視図であり、図２は、本実施形態における繰り出し機構を備えた装置を示す側面図であり、図３は、本実施形態における繰り出し機構を示す斜視図であり、図４は、本実施形態の繰り出し機構における回転状態設定手段を示す拡大正断面図であり、図５は、本実施形態の繰り出し機構における回転状態設定手段を示す拡大側断面図であり、図において、符号Ｃは、包装体であり、符号１０は、繰り出し機構である。
【００２７】
本実施形態に係る包装体Ｃは、図１に示すように、略矩形の表裏二枚のシート材からなり、短辺となる前側端Ｃ１が開口部Ｃ２とされ、長辺となる両側端Ｃ３，Ｃ３にシール部分Ｃ４，Ｃ４が形成され、後側端Ｃ５が開封用把持部Ｃ６，Ｃ７となるシールされない部分を繰り出し方向Ｆの後側に残すようにシール部分Ｃ８が形成されている。
【００２８】
なお、本実施形態においては、平面視してほぼ矩形の輪郭とされる主面を有する包装体Ｃを繰り出すものとしたが、この形状に限定されるものではなく、繰り出し方向Ｆ前側が開口しており、その幅方向Ｗ両側がシールされているものであれば適用可能である。たとえば、後側端Ｃ５にシール部分Ｃ８が設けられていないものも適用可能である。
【００２９】
本実施形態における繰り出し機構１０は、図２に示すように、表示シール貼り付け装置（装置）１において、包装体Ｃを一枚ずつ繰り出して供給するものとされ、繰り出し方向Ｆにおける繰り出し機構１０の下流には、図示しないラベル貼り付け装置が配置されている。
【００３０】
表示シール貼り付け装置（装置）１は、この繰り出し機構１０と、繰り出し方向Ｆ下流の送り出し部２と、先端位置検出手段３と、図示しないラベル貼り付け装置によって、所定の位置で包装体Ｃに表示シールを貼り付けるものとされる。
なお、本実施形態では繰り出し機構１０を表示シール貼り付け装置に設けられたものとしたが、包装体Ｃを一枚ずつ繰り出して供給するものであれば、この用途および構成に限定されるものではない。
【００３１】
本実施形態における繰り出し機構１０は、図２に示すように、繰り出しベルト２０と、摩擦部３０と、ストック部４０と、を備える。
【００３２】
繰り出しベルト２０は、図２，図３に示すように、ストック部４０の下端に位置し、略水平な軸線を有する駆動ローラ２１と、この駆動ローラ２１に繰り出し方向Ｆに離間した平行な軸線を有するローラ２２と、に巻回された無端状のベルトとされて、繰り出し方向Ｆに駆動可能とされている。繰り出しベルト２０は、駆動ローラ２１を回転駆動することで、ストック部４０における最下位置の包装体Ｃを繰り出し面２３の摩擦により繰り出し方向Ｆに繰り出し可能とされている。駆動ローラ２１は、水平かつ繰り出し方向Ｆと直交した軸線を有して配置され、図示しない制御手段によって、その回転駆動を制御可能とされている。
【００３３】
繰り出し面２３は、繰り出しベルト２０上面とされており、ストック部４０に積層された包装体Ｃの主面と略平行となる略水平状態になるように配置されている。ここで、略水平とは、ストック部４０における包装体Ｃが、繰り出し方向Ｆに向かって多少下降するよう傾斜されることや、ストック部４０における包装体Ｃが、繰り出し方向Ｆの中央部分が両端部よりも下側に位置する下側凸状態となるように湾曲されること、あるいは、ストック部４０における包装体Ｃが、繰り出し方向Ｆの中央部分が両端部よりも上側に位置する上側凸状態となるように湾曲されることも含むものとされる。繰り出し面２３は、繰り出し方向Ｆと直交方向に湾曲していてもよい。
【００３４】
摩擦部３０は、図２，図３に示すように、ストック部４０下端位置で繰り出しベルト２０の繰り出し面２３上側位置となるように配置され、最下位置の包装体Ｃよりも上側位置となる包装体Ｃのシール部分Ｃ４，Ｃ４に当接することで、摩擦により包装体Ｃをストック部４０内に留めるものとされる。
【００３５】
摩擦部３０には、円筒状のシート分離ローラ３１，３１が駆動ローラ２１と平行な軸線を有して、駆動ローラ２１の上側位置に設けられている。シート分離ローラ３１，３１の下端位置は、繰り出し面２３に対して包装体Ｃの厚み１枚分に相当する距離だけ離間するように設定されている。なお、シート分離ローラ３１の外周面が可撓性を有する場合には、繰り出し面２３に対して包装体Ｃの厚み１枚分より小さな距離だけ離間するように設定されることもできる。
【００３６】
シート分離ローラ３１，３１は、図２，図３に示すように、繰り出し方向Ｆと直交する水平方向である幅方向Ｗに延在する軸３２に対して２箇所に離間した状態で設けられている。幅方向Ｗにおけるシート分離ローラ３１，３１の離間距離は、繰り出し面２３上に載置された包装体Ｃに対して、繰り出し方向Ｆと直交する水平方向に２箇所となるシール部分Ｃ４，Ｃ４に当接するように設定される。
【００３７】
片方のシート分離ローラ３１における幅方向Ｗの寸法は、送り出す包装体Ｃのシール部分Ｃ４の幅方向寸法と等しいか、これよりやや大きく、または、やや小さく設定することができる。これは、シート分離ローラ３１が包装体Ｃのシール部分Ｃ４よりも幅方向Ｗ中央側に大きくはみ出すと、開口部Ｃ２で折れや捲れ、曲がりが発生してしまう可能性があるためこのましくないからである。
【００３８】
なお、包装体Ｃの強度にもよるが、シール部分Ｃ４の幅方向Ｗ内側端部位置から１〜３ｍｍ程度または２〜３ｍｍ程度であれば、包装体Ｃのシール部分Ｃ４よりも幅方向Ｗ中央側にはみ出して接触する分には問題がない。
また、シート分離ローラ３１における幅方向Ｗの寸法が、包装体Ｃのシール部分Ｃ４の幅方向Ｗ寸法に比べて小さすぎる場合には、後述するように、シート分離ローラ３１外周面における幅方向Ｗの摩擦力を変化させることができなくなるため、好ましくない。
【００３９】
シート分離ローラ３１は、図４，図５に示すように、回転状態設定手段としての位置設定部３１Ａによって軸３２に対する取り付け位置が可変とできるように取り付けられている。
位置設定部３１Ａは、図４，図５に示すように、シート分離ローラ３１の中心を通り径方向に形成された孔部３１Ａ１と、この孔部３１Ａ１内部に埋め込まれたボールプランジャ３１Ａ２と、孔部３１Ａ１と同軸状態として軸線対象となる径方向位置に設けられた孔部３１Ａ３と、この孔部３１Ａ３内部に埋め込まれた回転規制片３１Ａ４と、軸３２表面に設けられた位置規制凹部３２Ａ１と、位置規制凹部３２Ａ１と周方向反対側に軸方向に延在して設けられた回転規制溝部３２Ａ２と、を有するものとされる。
【００４０】
孔部３１Ａ１および孔部３１Ａ３は、図４，図５に示すように、シート分離ローラ３１の中心側で軸３２の外周位置まで設けられていればよく、シート分離ローラ３１の外周面に貫通していても貫通しないこともできる。
【００４１】
ボールプランジャ３１Ａ２は、図４，図５に示すように、ねじを有する円筒３１Ａ２ａにボール３１Ａ２ｂを入れ、スプリング３１Ａ２ｃで適当な圧力に付勢したものである。ボールプランジャ３１Ａ２は、シート分離ローラ３１の中心側でボール３１Ａ２ｂが位置規制凹部３２Ａ１内に突出した状態とされるとともに、スプリング３１Ａ２ｃの付勢力に打ち勝ってボール３１Ａ２ｂが孔部３１Ａ１内に退行可能となる径方向位置に設けられている。
【００４２】
位置規制凹部３２Ａ１は、図４，図５に示すように、ボール３１Ａ２ｂ外面の球周形状に対応して、軸３２の周表面に球面状として設けられている。
位置規制凹部３２Ａ１はその内表面形状が球面となっているため、ボール３１Ａ２ｂが位置規制凹部３２Ａ１内部に突出した場合には、シート分離ローラ３１の径方向において、位置規制凹部３２Ａ１の中心位置にボール３１Ａ２ｂの中心が一致するように、スプリング３１Ａ２ｃの付勢力によりボール３１Ａ２ｂが移動する。すなわち、軸３２に対して、シート分離ローラ３１が移動して係止される。これにより、位置規制凹部３２Ａ１を設けた場所に対して、軸３２に対するシート分離ローラ３１の軸方向Ｗ位置設定をおこなうことができる。
【００４３】
位置規制凹部３２Ａ１は、包装体Ｃのシール部分Ｃ４位置にシート分離ローラ３１外周面を当接可能とするように、繰り出し面２３の幅方向Ｗ中心に対して対称な位置となるように、少なくとも一対設けられている。
【００４４】
また、位置規制凹部３２Ａ１は、図４，図５に示すように、異なる幅方向Ｗ寸法を有する包装体Ｃの多種類に対応して、それぞれのシール部分Ｃ４位置にシート分離ローラ３１外周面が当接可能になるように取り付け位置を切り替え可能として、繰り出し面２３の幅方向Ｗ中心に対して異なる間隔を持った複数対が設けられていることもできる。
【００４５】
回転規制片３１Ａ４は、図４，図５に示すように、シート分離ローラ３１の中心側で回転規制溝部３２Ａ２内に突出された状態でシート分離ローラ３１の孔部３１Ａ３内に係止されている。
回転規制溝部３２Ａ２は、位置規制凹部３２Ａ１と周方向反対側に、幅方向Ｗとなる軸方向に延在して軸３２表面に穿設されており、この回転規制溝部３２Ａ２内部に回転規制片３１Ａ４が当接することで、回転規制片３１Ａ４が回転方向に位置規制されることにより、シート分離ローラ３１の軸３２に対する回動位置規制が可能とされている。また、回転規制溝部３２Ａ２内部において、回転規制片３１Ａ４が幅方向Ｗとなる軸方向に挿入位置を移動可能とされており、これにより、シート分離ローラ３１を軸３２に沿って移動可能とするとともに、シート分離ローラ３１が軸３２に沿って移動した場合でも、シート分離ローラ３１が軸３２に対して回転しないなどの回動位置規制が可能なように設定されている。
【００４６】
シート分離ローラ３１に対して軸方向（幅方向）Ｗに向かう作用力を印加した場合には、位置規制凹部３２Ａ１が球面状として設けられていることで、ボール３１Ａ２ｂがスプリング３１Ａ２ｃの付勢力に打ち勝って円筒３１Ａ２ａ内部に引込した状態になる。これにより、回転規制片３１Ａ４が回転規制溝部３２Ａ２に沿って移動可能となり、シート分離ローラ３１を軸３２に沿って移動させることができる。
【００４７】
さらに、シート分離ローラ３１を軸３２に沿って移動させて、他の位置規制凹部３２Ａ１内にボール３１Ａ２ｂがスプリング３１Ａ２ｃの付勢力によって挿入されることで、この位置規制凹部３２Ａ１に対応した位置に、シート分離ローラ３１の軸方向位置を切り替えて設定することができる。
【００４８】
また、繰り出し動作をおこなっている際には、シート分離ローラ３１に対して幅方向Ｗに移動させる力が作用することはなく、ボールプランジャ３１Ａ２が位置規制凹部３２Ａ１に係合した状態が維持されて、シート分離ローラ３１が軸周り回動以外の動きをすることはない。
これにより、異なる軸方向位置にシート分離ローラ３１を移動して、取り付け位置を再設定することで、異なる幅方向寸法を有する包装体Ｃに対応して繰り出しをおこなうことが可能となる。
【００４９】
図６は、本実施形態の繰り出し機構における回転状態設定手段を示す拡大正断面図であり、図７は、本実施形態の繰り出し機構における回転状態設定手段を示す拡大側断面図であり、図８は、本実施形態の繰り出し機構における回転状態設定手段を示す拡大側断面図であり、図９は、本実施形態の繰り出し機構における回転状態設定手段を示す側断面図である。
【００５０】
軸３２は、図６，図９に示すように、回転状態設定手段としての回転方向規制部３２Ｂ１を介して取り付け部３２Ｂ２に取り付けられており、繰り出しベルト２０の駆動ローラ２１の駆動に対して、繰り出し方向Ｆへの駆動に追従して回転停止した回転停止状態とするとともに、繰り出し方向Ｆと逆向きの駆動に追従して回転可能な回転可能状態とするように回転方向が規制されている。これにより、軸３２は、繰り出しベルト２０における駆動ローラ２１の繰り出し方向Ｆへの駆動に追従した順回転ｆｒはできず、繰り出し方向Ｆと逆向きの駆動に追従した逆回転ｒｒだけ回転することになる。
【００５１】
回転方向規制部３２Ｂ１は、軸３２の回転方向を規制可能なものであればその構成を限定されるものではないが、一例として次の構成を採用することができる。
【００５２】
回転方向規制部３２Ｂ１は、軸３２に嵌合された内面側が、取り付け部３２Ｂ２に固定された外面側に対して、順方向ｆｒのみに回転可能な軸受構造を有する部材とされる。
回転方向規制部３２Ｂ１は、図７，図８に示すように、内筒３２Ｂ１ａと外筒３２Ｂ１ｂとの間に、複数の転動体３２Ｂ１ｃが、互いに間隔を空けて配置されている。各転動体３２Ｂ１ｃの移動は、周方向（回転方向）に伸縮するスプリング３２Ｂ１ｄによって制限されている。スプリング３２Ｂ１ｄが伸長した状態において、各転動体３２Ｂ１ｃが内筒３２Ｂ１ａ、外筒３２Ｂ１ｂまたは他の障壁に接触するようにスプリング３２Ｂ１ｄの長さが設定されている。
【００５３】
回転方向規制部３２Ｂ１は、図７に示すように、軸３２を介して内筒３２Ｂ１ａに順回転ｆｒとして反時計回りのトルクが負荷された場合、スプリング３２Ｂ１ｄの伸長によって各転動体３２Ｂ１ｃが壁面に接触する。この結果、転動体３２Ｂ１ｃの回転が抑制されて、内筒３２Ｂ１ａの回転がロックされる。
【００５４】
また、図８に示すように、軸３２を介して内筒３２Ｂ１ａに逆回転ｒｒとして時計回りのトルクを負荷すると、スプリング３２Ｂ１ｄの収縮によって転動体３２Ｂ１ｃが壁面から離れる。この結果、転動体３２Ｂ１ｃは自由に回転することが可能となり、内筒３２Ｂ１ａは逆回転ｒｒとして時計回り方向に自由回転することができる。
これにより、内筒３２Ｂ１ａおよびこの内筒３２Ｂ１ａに固定された軸３２が、図において時計回りにのみ回転することが可能となる。
【００５５】
回転方向規制部３２Ｂ１により、図９に示すように、軸３２に固定されたシート分離ローラ３１は、繰り出しベルト２０の駆動に追従して、逆回転ｒｒ方向にのみ回転し、繰り出しベルト２０が、順回転ｆｒの駆動をした場合には、繰り出しベルト２０のみが移動して、回転規制された軸３２に固定されたシート分離ローラ３１は回動せず、シート分離ローラ３１に対して繰り出しベルト２０が摺動する状態になる。
【００５６】
図１０は、本実施形態の繰り出し機構における摩擦部を示す斜視図であり、図１１は、本実施形態の繰り出し機構における摩擦部を示す斜視図であり、図１２は、本実施形態の繰り出し機構における摩擦部を示す正断面図である。
【００５７】
摩擦部３０におけるシート分離ローラ３１の外周面３１Ｃは、図１０に示すように、包装体Ｃのシール部分Ｃ４における幅方向Ｗの内側に位置する領域３１Ｃ１と、包装体Ｃのシール部分Ｃ４における幅方向Ｗの外側に位置する領域３１Ｃ２とで、シール部分Ｃ４に当接する部分の摩擦力が異なるように設定されている。
【００５８】
具体的には、シート分離ローラ３１の外周面３１Ｃは、シール部分Ｃ４に当接する部分の摩擦力が、幅方向Ｗにおいて包装体Ｃ外側位置が低くなるよう設定されている。
つまり、シート分離ローラ３１の外周面３１Ｃは、幅方向Ｗに分断された高摩擦領域３１Ｃ１と、低摩擦領域３１Ｃ２とを有する。また、繰り出し面２３の両側に位置するシート分離ローラ３１ごとに、高摩擦領域３１Ｃ１と低摩擦領域３１Ｃ２との位置が幅方向Ｗに対称となっている。
【００５９】
包装体Ｃの強度が足りない場合、つまりコシがない場合には、シート分離ローラ３１に当接している部分が摩擦により引っ掛かり、包装体Ｃに角折れが発生しやすい。角折れを防止するためには引っ掛かりにくい、つまり、摩擦が小さいシート分離ローラ３１を用いることが好ましいが、包装体Ｃを一枚ずつ分離して繰り出すためには、包装体Ｃに当接する部分におけるシート分離ローラ３１の摩擦が大きいことが求められる。
このように包装体Ｃの分離繰り出しと角折れ防止とは、相反する特性を必要とするものである。
【００６０】
発明者らは、包装体Ｃに角折れが発生する場合、包装体Ｃの前側端Ｃ１における幅方向Ｗの端部（角部）が、変位して角折れが発生することを見出した。このため、角部における変位（変形）発生を防止することで、角折れの発生を防止することができると考えた。角部の変位を低減するためには、摩擦の小さいもので角部を押さえ、包装体Ｃの分離繰り出しのために、角部よりも幅方向Ｗ内側位置を摩擦の大きいもので押さえる状態を実現すればよいことに想到した。
【００６１】
具体的には、シート分離ローラ３１の外周面３１Ｃは、シール部分Ｃ４に当接する部分の摩擦が、幅方向Ｗにおいて包装体Ｃ外側位置が低くなるとともに、包装体Ｃ内側位置が高くなるよう設定することができる。
【００６２】
さらに、高摩擦領域３１Ｃ１と、低摩擦領域３１Ｃ２とをシート分離ローラ３１に容易に形成するために、シート分離ローラ３１には、図１１，図１２に示すように、その周方向に２本の溝３１Ｃ１ｂと溝３１Ｃ２ｂとを周設し、溝３１Ｃ１ｂに高摩擦となる高摩擦体３１Ｃ１ａを周設し、溝３１Ｃ２ｂに低摩擦となる低摩擦体３１Ｃ２ａを周設することができる。
【００６３】
高摩擦体３１Ｃ１ａとしては、堰き止め用として摩擦係数の高いシリコン樹脂やニトリルゴムなどからなるＯリングを採用することができる。また、低摩擦体３１Ｃ２ａとしては、角折れ防止に角部を緩く押さえるために、摩擦係数の低いフッ素樹脂などからなるＯリングを採用することができる。これらのＯリングの太さ寸法は、φ１〜５ｍｍ程度、好ましくは３ｍｍ程度に設定することができる。
【００６４】
高摩擦体３１Ｃ１ａのＯリングと、低摩擦体３１Ｃ２ａのＯリングとは、同一太さ寸法とすることもできるが、異なる太さに設定することもできる。
【００６５】
なお、高摩擦領域３１Ｃ１と、低摩擦領域３１Ｃ２とをＯリングからなる構成とした場合には、Ｏリングの周方向２条の部分のみで包装体Ｃに当接することになるため、包装体Ｃに当接する領域の面積を削減した状態で、包装体Ｃの分離堰き止め性能を維持したまま、より一層角折れ防止を図ることが可能となる。
【００６６】
また、高摩擦体３１Ｃ１ａのＯリングと、低摩擦体３１Ｃ２ａのＯリングとを同一の材質として、高摩擦体３１Ｃ１ａのＯリングの太さ寸法を大きく、また、低摩擦体３１Ｃ２ａのＯリングの太さ寸法を小さくすることで、高摩擦領域３１Ｃ１と、低摩擦領域３１Ｃ２とを形成することも可能である。
この場合、高摩擦体３１Ｃ１ａのＯリングの太さ寸法を５ｍｍ程度、また、低摩擦体３１Ｃ２ａのＯリングの太さ寸法を２ｍｍ程度として設定することができる。
【００６７】
なお、高摩擦領域３１Ｃ１と、低摩擦領域３１Ｃ２とを形成する際に、それぞれ、別の円筒状部材として軸方向に接続してシート分離ローラ３１とすることや、円筒状の、シート分離ローラ３１の外周面を二分して、それぞれ板状の高摩擦体と低摩擦体とを巻回して摩擦の異なる領域を形成することなども可能である。なお、外周面における摩擦係数の異なる２つのローラを隣接して軸３２に取り付け、これらのローラを組み合わせてシート分離ローラ３１とすることも可能である。
【００６８】
さらに、円筒面を有するシート分離ローラ３１の外周面において、包装体Ｃの内側位置の摩擦力が高く、包装体Ｃの外側位置に向かうにつれて摩擦力が低くなるように傾斜した摩擦率を有する構成とすることもできる。この構成は、円筒状の外周面に対してサンドブラストなどの表面粗化等とされる表面処理を施すとともに、この際の処理条件を上述の摩擦係数が傾斜した状態となるように設定することで実現可能である。
【００６９】
さらに、高摩擦領域３１Ｃ１が包装体Ｃに当接する位置は、包装体Ｃ幅方向Ｗにおけるシール部分Ｃ４内側境界位置付近、または、シール部分Ｃ４から若干内側位置にあっても構わない。高摩擦領域３１Ｃ１が包装体Ｃに当接する幅方向Ｗにおける位置がシール部分Ｃ４から若干内側に外れる範囲は、開口部Ｃ２の強度によって対応可能であるが、概ね２〜３ｍｍ程度の範囲内であることが好ましい。
【００７０】
図１３は、本実施形態の繰り出し機構における回転状態設定手段を示す拡大側断面図であり、図１４は、本実施形態の繰り出し機構における摩擦部の回転状態を示す側断面図であり、図１５は、本実施形態の繰り出し機構における摩擦部の回転状態を示す側断面図である。
【００７１】
本実施形態の摩擦部３０においては、前述したように、回転状態設定手段としての位置設定部３１Ａ、および、回転方向規制部３２Ｂ１によって、シート分離ローラ３１が繰り出しベルト２０の駆動ローラ２１の駆動に対して、繰り出し方向Ｆへの駆動に追従して回転停止した回転停止状態と、繰り出し方向Ｆと逆向きの駆動に追従して回転可能な回転可能状態とを切り替え可能とされているとともに、さらに、回転状態設定手段においては、シート分離ローラ３１の回転停止状態において、繰り出し方向Ｆおよび繰り出し方向Ｆと逆向きにシート分離ローラ３１を所定量往復回動可能とする。
【００７２】
具体的には、回転状態設定手段としての位置設定部３１Ａにおいては、図１３〜図１５に示すように、回転規制片３１Ａ４の係合する回転規制溝部３２Ａ２の軸周り周方向における幅寸法Ｐ１が、回転規制片３１Ａ４の軸周り周方向における幅寸法Ｐ２に対して、大きく設定されている。このように、回転規制溝部３２Ａ２を大きくし、回転規制片３１Ａ４との間に隙間を持たせる。回転規制片３１Ａ４と回転規制溝部３２Ａ２との係止には、軸周り周方向における一定の遊びを持たせることができる状態とされている。
【００７３】
回転規制片３１Ａ４と回転規制溝部３２Ａ２とは、回転規制片３１Ａ４が回転規制溝部３２Ａ２内に突出された状態により、シート分離ローラ３１の軸３２への係止状態を維持したままで、回転規制片３１Ａ４が回転規制溝部３２Ａ２内で、軸周り周方向において遊び寸法分に対応する所定量だけ往復回動することが可能となっている。
【００７４】
これにより、シート分離ローラ３１は、図１４に示すように、順回転ｆｒ方向に限界となる回転位置から、図１５に示すように、逆回転ｒｒ方向に限界となる回転位置まで、回転状態を規制されない状態で自由回動可能な状態となっている。
つまり、図１４，図１５に示すように、軸３２に対して、シート分離ローラ３１は、その外周面における回転距離が、遊び量Ｐｗだけ自由に回動可能な状態を維持することになる。
【００７５】
遊び量Ｐｗは、回転規制溝部３２Ａ２の軸周方向幅寸法Ｐ１と回転規制片３１Ａ４の軸周方向幅寸法Ｐ２との関係、さらに、軸３２の外径寸法とシート分離ローラ３１との外径寸法の関係を設定することによって、所望の大きさに設定することができる。すなわち、寸法Ｐ１と寸法Ｐ２との差を設定することでは、回転規制溝部３２Ａ２内部で回転規制片３１Ａ４が軸周方向で移動可能な距離を設定する。これにより、軸３２に対するシート分離ローラ３１の回動範囲（角度）を設定して、軸３２の外径寸法に対するシート分離ローラ３１の径寸法を考慮すると、その移動可能な距離と、シート分離ローラ３１の径寸法との関係から、シート分離ローラ３１が包装体Ｃを介して繰り出しベルト２０との接触する位置が、径方向においてどの程度変化するかという遊び量Ｐｗを設定することができる。
【００７６】
なお、軸３２に対して、シート分離ローラ３１が、その外周面における回転距離が遊び量Ｐｗだけ回動可能な状態とされることにより、位置規制凹部３２Ａ１も、軸３２の周方向に拡大された形状とすることができる。具体的には、球面状として設けられた場合に比べて、回転規制溝部３２Ａ２の軸周方向幅寸法Ｐ１と回転規制片３１Ａ４の軸周方向幅寸法Ｐ２との差に相当する大きさだけ、軸３２の周方向に延長した長穴状として設定することができる。
【００７７】
この場合、回転規制溝部３２Ａ２の軸方向Ｗの大きさおよび、球面（曲面）形状は変化させない。これにより、シート分離ローラ３１が、その外周面における回転距離が遊び量Ｐｗだけ回動可能な状態を維持したまま、異なる軸方向位置にシート分離ローラ３１を移動して、取り付け位置を再設定することが可能となる。
【００７８】
本実施形態において、回転状態設定手段がこのような構成とされていることで、シート分離ローラ３１は、繰り出しベルト２０の駆動に追従して、遊び量Ｐｗだけ往復回動可能とされ、かつ、逆回転ｒｒ方向には回転可能とされている。
【００７９】
このため、繰り出しベルト２０が、繰り出し方向Ｆと逆向きである逆回転ｒｒに駆動された後に、繰り出し方向Ｆの順回転ｆｒに駆動された際には、シート分離ローラ３１は、図１５に示すように、逆回転ｒｒ方向に限界となる回転位置から、図１４に示すように、順回転ｆｒ方向に限界となる回転位置まで、遊び量Ｐｗ分だけ回動する。
【００８０】
ここで、上側位置の包装体Ｃがシート分離ローラ３１の下端位置に当接していた場合には、遊び量Ｐｗ分だけ上側位置の包装体Ｃがシート分離ローラ３１の下端位置よりも繰り出し方向Ｆに送られることになる。
【００８１】
また、本実施形態において、摩擦部３０と包装体Ｃ上面との間の摩擦Ｆ１、上側位置の包装体Ｃ下面と最下位置の包装体Ｃ上面との摩擦Ｆ２、最下位置の包装体Ｃ下面と繰り出しベルト２０の繰り出し面２３との摩擦Ｆ３が、  
Ｆ１＞Ｆ２
Ｆ３＞Ｆ２
となるように設定されている。
【００８２】
これにより、繰り出し面２３上に接する最下位置の包装体Ｃが、摩擦によって繰り出しベルト２０の動きに追従して移動するとともに、最下位置の包装体Ｃに接してその上側に位置する上側位置の包装体Ｃが、摩擦によって最下位置の包装体Ｃの動きに追従して移動せずに、摩擦によって摩擦部３０の下端で動きを規制されることで、最下位置の包装体Ｃのみが繰り出される状態とすることができる。
【００８３】
包装体Ｃは、厚さ０．３ｍｍ程度とされているが、厚さのバラツキが０．１ｍｍ程度存在する。このため、繰り出しベルト２０の繰り出し面２３とシート分離ローラ３１との間隔を包装体Ｃの１枚分に相当する０．３ｍｍに設定した場合であっても、想定した厚さと異なる包装体Ｃを繰り出す必要になることが想定される。
【００８４】
厚さの異なる包装体Ｃを繰り出す必要がある際において、厚い包装体Ｃを繰り出す場合には、高摩擦領域３１Ｃ１と、低摩擦領域３１Ｃ２とを形成したシート分離ローラ３１でシール部分Ｃ４を押さえることのみでは、角折れの発生を低減することはできるが、その発生可能性をなくすことはできない。
【００８５】
これは、包装体Ｃが厚い場合には、前側端Ｃ１の幅方向Ｗ端部である角部を摩擦係数の小さな低摩擦領域３１Ｃ２で押さえていても、シート分離ローラ３１と繰り出し面２３との間隔よりも大きな厚さとなってしまうため、シート分離ローラ３１と繰り出し面２３とで角部を挟む力、つまり、シート分離ローラ３１で角部に対して押さえつける力が大きくなり、摩擦力が大きくなってしまうからである。
【００８６】
シート分離ローラ３１からの摩擦力による包装体Ｃ角部への負荷が、包装体Ｃの強度(コシ)を上回った場合には角折れが発生してしまう。
発明者らは、包装体Ｃが厚い場合であっても、包装体Ｃに角折れを発生させないためには、シート分離ローラ３１からの摩擦力による包装体Ｃ角部への負荷を低減するまたは削減すればよいことを見出した。
【００８７】
包装体Ｃの前側端Ｃ１の角部が変位して角折れが発生する際には、シート分離ローラ３１によって堰き止められた包装体Ｃにおいて、シート分離ローラ３１の下端から摩擦によって包装体Ｃの前側端Ｃ１に変形力が作用している。従って、角折れを防止するためには、包装体Ｃの前側端Ｃ１に変形力を作用させなければよい。
【００８８】
つまり、最下位置の包装体Ｃが繰り出し面２３との摩擦によって繰り出しベルト２０の動きに追従して移動する際に、上側位置の包装体Ｃが、最下位置の包装体Ｃから繰り出し方向Ｆに摩擦力を受けているときに、この力に抗して移動しないために、摩擦によってシート分離ローラ３１の下端で動きを規制されて堰き止められている。このときに、角折れの発生を防止するためには、上側位置の包装体Ｃにおける前側端Ｃ１に、シート分離ローラ３１の下端が当接していなければよい。
【００８９】
しかし、上側位置の包装体Ｃにおける動きを規制して堰き止めるためには、シート分離ローラ３１の下端に上側位置の包装体Ｃが接していなければならないので、上側位置の包装体Ｃにおける前側端Ｃ１よりも繰り出し方向Ｆの後側端Ｃ５側位置でシート分離ローラ３１の下端に接していればよい。これにより、上側位置の包装体Ｃにおける前側端Ｃ１がシート分離ローラ３１の下端に接していない状態で、上側位置の包装体Ｃが堰き止められるので、角折れの発生はなくなることになる。
【００９０】
具体的には、駆動ローラ２１の駆動を、順回転ｆｒとして最下位置の包装体Ｃ０を繰り出す際に、逆回転ｒｒとした後に順回転ｆｒとして、上側位置の包装体Ｃにおける前側端Ｃ１をシート分離ローラ３１の下端よりも繰り出し方向Ｆ前側位置まで突出させる工程を有するものである。ここで、上側位置の包装体Ｃにおける前側端Ｃ１をシート分離ローラ３１の下端よりも繰り出し方向Ｆに突出させる突出量は、遊び量Ｐｗと等しくすることができる。
ここで、上側位置の包装体Ｃにおける前側端Ｃ１の突出量が遊び量Ｐｗと等しくするために、駆動ローラ２１の駆動量を、軸３２が遊び量Ｐｗと等しい角度回動するように設定することができる。
【００９１】
駆動ローラ２１の駆動を逆回転ｒｒとした際、回転状態設定手段としての位置設定部３１Ａにおいて回動方向への遊びを設けたことで、上側位置の包装体Ｃにおける前側端Ｃ１を遊び量Ｐｗ分突出させるが、さらに、回転状態設定手段としての回転方向規制部３２Ｂ１によって、軸３２を遊び量Ｐｗを超えた角度回動させることで、包装体Ｃに接するシート分離ローラ３１の周方向位置を変化させることができる。
【００９２】
これにより、包装体Ｃが繰り出される際に、移動する包装体Ｃと擦れることで摩耗するシート分離ローラ３１の周方向位置を変えて、シート分離ローラ３１の摩耗を低減させることが可能となる。
【００９３】
ストック部４０は、図２に示すように、包装体Ｃが略水平状態として多数積層されている。ストック部４０の繰り出し方向Ｆ下流側の側部位置には、下側に向かうにつれて摩擦部３０へ向けて湾曲するガイド部材４１が設けられている。ガイド部材４１によって、摩擦部３０に当接する包装体Ｃの枚数が制限されることになる。繰り出し面２３は、ストック部４０の底部を兼ねている。
【００９４】
以下、本実施形態における繰り出し方法について、図面に基づいて説明する。
【００９５】
図１６は、本実施形態における繰り出し方法を示す側面工程図であり、図１７は、本実施形態における繰り出し方法を示す側面工程図であり、図１８は、本実施形態における繰り出し方法を示す側面工程図であり、図１９は、本実施形態における繰り出し方法を示す側面工程図である。
【００９６】
本実施形態における繰り出し方法においては、図１６に示すように、前工程として繰り出される包装体Ｃ０が最下位置とされ、その上に、今回繰り出す包装体Ｃが上側位置として積層されている。前の包装体Ｃ０は、シート分離ローラ３１と繰り出し面２３との間に入っているが、上側位置の包装体Ｃは、前側端Ｃ１がシート分離ローラ３１に当接していない状態を始状態として説明する。なお、図中において、一点鎖線でストック部４０にストックされた他の包装体を示しており、これらは、上側位置の包装体Ｃの上側に積層されている。
【００９７】
このとき、駆動ローラ２１は順回転Ｆｒに駆動されており、繰り出しベルト２０の繰り出し面２３が図中右向きとなる繰り出し方向Ｆに移動している状態である。同時に、繰り出し面２３上に接触している最下位置の包装体Ｃ０も繰り出しベルト２０の動きに追従して繰り出し方向Ｆに移動している状態とされる。また、最下位置の包装体Ｃ０上面に接触している上側位置の包装体Ｃも、最下位置の包装体Ｃ０の動きに追従して繰り出し方向Ｆに移動している状態とされる。
【００９８】
次に、上側位置の包装体Ｃにおいて前側端Ｃ１がシート分離ローラ３１に当接した位置まで移動したら、駆動ローラ２１の駆動を停止する。
【００９９】
次に、停止していた駆動ローラ２１を逆回転ｒｒに駆動する。これにより、図１７に示すように、繰り出し面２３上に接触している最下位置の包装体Ｃ０も繰り出しベルト２０の動きに追従して繰り出し方向Ｆと逆方向に移動する。また、最下位置の包装体Ｃ０上面に接触している上側位置の包装体Ｃは、ストック部４０に積層された他の包装体の重みにより、最下位置の包装体Ｃ０の動きに追従せずに、前側端Ｃ１がシート分離ローラ３１に当接した状態とされる。このとき、上側位置の包装体Ｃでは、前側端Ｃ１にシート分離ローラ３１から繰り出し方向の力はかかっていない状態とされる。
【０１００】
駆動ローラ２１を逆回転ｒｒに駆動したことで、シート分離ローラ３１が軸３２に対して逆方向ｒｒに回動し、このシート分離ローラ３１の回動によって、回転規制片３１Ａ４が回転規制溝部３２Ａ２内部において、図１５に示した逆回転ｒｒ方向に限界となる回転位置まで回動する。このときの駆動ローラ２１における逆回転ｒｒ量は、シート分離ローラ３１が遊び量Ｐｗ回動する状態に対応するよう設定される。
これにより、回転規制溝部３２Ａ２の軸周方向幅寸法Ｐ１と回転規制片３１Ａ４の軸周方向幅寸法Ｐ２とで主に規定される遊び量Ｐｗ分だけ、最下位置の包装体Ｃ０が繰り出し方向Ｆと逆方向に移動する。
【０１０１】
次に、駆動ローラ２１の逆回転ｒｒ駆動を停止する。
【０１０２】
この状態で、駆動ローラ２１を順回転Ｆｒに駆動する。これにともなって、繰り出しベルト２０の繰り出し面２３が図中右向きとなる繰り出し方向Ｆに移動し、繰り出し面２３上に接触している最下位置の包装体Ｃ０も繰り出しベルト２０の動きに追従して繰り出し方向Ｆに移動し、最下位置の包装体Ｃ０上面に接触している上側位置の包装体Ｃも、最下位置の包装体Ｃ０の動きに追従して繰り出し方向Ｆに移動し、上側位置の包装体Ｃ上面に接触しているシート分離ローラ３１も、順回転Ｆｒに回動する。
【０１０３】
ここで、上側位置の包装体Ｃでは、シール部分Ｃ４において、包装体Ｃ幅方向内側が、高摩擦領域３１Ｃ１である高摩擦体３１Ｃ１ａに当接し、包装体Ｃ幅方向外側の角部付近が、低摩擦領域３１Ｃ２である低摩擦体３１Ｃ２ａに当接した状態で、シート分離ローラ３１が順回転Ｆｒに回動する。
繰り出し面２３、最下位置の包装体Ｃ０、上側位置の包装体Ｃ、シート分離ローラ３１は、互いに摺動することなく、相対位置を維持した状態で、繰り出し方向Ｆに移動している。
【０１０４】
このシート分離ローラ３１の回動によって、図１８に示すように、回転規制片３１Ａ４が回転規制溝部３２Ａ２内部において、図１４に示した順回転ｆｒ方向に限界となる回転位置まで回動する。これにより、シート分離ローラ３１は、図１８に示すように、軸３２に対して遊び量Ｐｗ分だけ回動した位置で、回転方向規制部３２Ｂ１により回動を停止する。
【０１０５】
シート分離ローラ３１が回動を停止した位置では、図１７に示した状態から、繰り出し面２３、最下位置の包装体Ｃ０、上側位置の包装体Ｃが、図１８に示すように、いずれも遊び量Ｐｗ分だけ繰り出し方向Ｆに移動しているため、上側位置の包装体Ｃの前端部Ｃ１は、シート分離ローラ３１の下端位置よりも、遊び量Ｐｗ分だけ繰り出し方向Ｆにはみ出した状態となる。
したがって、上側位置の包装体Ｃは、前端部Ｃ１の縁部ではなく、包装体Ｃ上面でシート分離ローラ３１に接した状態となっている。
【０１０６】
この状態で、さらに、駆動ローラ２１を順回転Ｆｒに駆動する。これにともなって、繰り出しベルト２０の繰り出し面２３が図中右向きとなる繰り出し方向Ｆに移動し、繰り出し面２３上に接触している最下位置の包装体Ｃ０も繰り出しベルト２０の動きに追従して繰り出し方向Ｆに移動する。
【０１０７】
位置設定部３１Ａおよび回転方向規制部３２Ｂ１により回動停止状態とされたシート分離ローラ３１は、図１４に示した順回転ｆｒ方向に限界となる回転位置まで回動しているため、図１８に示した状態からそれ以上順回転ｆｒには回動しない。
このため、上側位置の包装体Ｃは、繰り出し方向Ｆに移動している最下位置の包装体Ｃ０上面に接触しているが、最下位置の包装体Ｃ０の動きに追従せず、繰り出し方向Ｆには移動せず、堰き止められた状態となっている。
【０１０８】
駆動ローラ２１における順回転ｆｒの駆動により、図１９に示すように、最下位置の包装体Ｃ０が、シート分離ローラ３１下端位置よりも繰り出し方向Ｆの下流に移動して、最下位置の包装体Ｃ０の繰り出しが完了する。
【０１０９】
さらに、上側位置の包装体Ｃにおける下面の全体が繰り出し面２３に接触する状態になると、包装体Ｃが最下位置となり、破線で示した次の包装体が上側位置となり、図１６に示した状態から工程が繰り返されることになる。
【０１１０】
本実施形態においては、先端位置検出手段３によって包装体Ｃの前側端Ｃ１位置を検出し、駆動ローラ２１の駆動を制御して毎分４０枚程度の繰り出し処理をおこなうことができる。
【０１１１】
本実施形態においては、逆回転ｒｒの工程における送り量を、遊び量Ｐｗと等しくするように設定したが、遊び量Ｐｗとはことなる送り量として逆回転ｒｒの工程を設定することも可能である。
【０１１２】
図２０は、本実施形態における繰り出し方法を示す側面工程図であり、図２１は、本実施形態における繰り出し方法を示す側面工程図である。
【０１１３】
具体的には、逆回転ｒｒの工程において、たとえば、駆動ローラ２１の駆動量を遊び量Ｐｗの２〜３倍程度に設定することができる。あるいは、駆動ローラ２１の駆動量を、シート分離ローラ３１の外周長に対して、２／７程度となる送り量として設定することもできる。
【０１１４】
これにより、逆回転ｒｒの工程後には、図１７に示した状態に対して、順回転Ｆｒの工程において、図２０に示すように、シート分離ローラ３１が異なる周囲位置で上側位置の包装体Ｃに接触することになり、この状態は、次の逆回転ｒｒの工程まで維持される。したがって、シート分離ローラ３１の周面上で包装体Ｃと擦れる部分を、包装体Ｃの繰り出しごとに変化させることができ、これにより、シート分離ローラ３１の周面上で特定の部分のみが包装体Ｃと擦れて、摩耗してしまうことを防止できる。
【０１１５】
本実施形態によれば、摩擦部３０により包装体Ｃ両側に位置するシール部分Ｃ４，Ｃ４を押さえるものとし、それぞれの摩擦部３０は、いずれも、包装体Ｃ幅方向Ｗ外側が内側よりも摩擦係数の低い外周面を有するシート分離ローラ３１として角折れや曲がりの発生を防止する。
【０１１６】
また、本実施形態によれば、シート分離ローラ３１を繰り出し方向Ｆとなる順回転ｆｒには回転不可、逆回転ｒｒには回転可とする回転状態設定手段を有し、繰り出し後に繰り出しベルト２０を逆回転ｒｒさせて、シート分離ローラ３１の包装体Ｃへの接触位置を変化させて摩耗を防止する。
【０１１７】
また、本実施形態によれば、回転規制溝部３２Ａ２を大きくして回転規制片３１Ａ４との間に隙間を持たせて一定の遊びを持たせ、シート分離ローラ３１が遊び量Ｐｗだけ自由回動可能とした。さらに、繰り出し後、繰り出しベルト２０の逆回転ｒｒにより、シート分離ローラ３１が遊び量Ｐｗだけ逆転した位置で停止して、繰り出し開始時、繰り出しベルト２０の順回転ｆｒにより、シート分離ローラ３１が遊び量Ｐｗだけ順回転ｆｒするので、上側位置の包装体Ｃの前側端Ｃ１がシート分離ローラ３１下端位置よりも繰り出し方向Ｆ前側に入り込む。
【０１１８】
前側端Ｃ１がシート分離ローラ３１下に入り込んだ上側位置の包装体Ｃは、最下位置の包装体Ｃ０が排出されるまで、シート分離ローラ３１の摩擦力により押さえ込まれている。繰り出し中とされた最下位置の包装体Ｃ０は、繰り出しベルト２０と送り出し部２とによって、先端位置検出手段３位置まで送られる。
【０１１９】
上側位置の包装体Ｃ、および、上側位置の包装体Ｃに積層されてその次以降で処理される包装体Ｃは、いずれも、シート分離ローラ３１により、送り出しを止められている。最下位置の包装体Ｃ０が先端位置検出手段３まで到達して繰り出し動作が完了後、上側位置の包装体Ｃは、繰り出しベルト２０を逆回転ｒｒさせ、シート分離ローラ３１を遊び量Ｐｗ分逆転させて次の繰り出しまで待機する。同時に、次以降の包装体Ｃは、その下面が繰り出しベルト２０に接触する位置に下降するまでシート分離ローラ３１により、送り出しを止められている。
これにより、折れ・曲がり、傷の発生なしに、ストック部４０に積層された多数の包装体Ｃから一枚のみを高速で図示しないラベル貼り付け装置に断続的に繰り出すことが可能となる。
【０１２０】
さらに、厚みにバラツキのある包装体Ｃに対しても対応して、折れ・曲がり、傷の発生なしに、積層された多数の包装体Ｃから一枚のみを高速で連続して繰り出すことが可能となる。
【産業上の利用可能性】
【０１２１】
本発明としては、医療用の袋に限定されず、中身は医療用品でないものに適応することができる。
【符号の説明】
【０１２２】
１…表示シール貼り付け装置（装置）
２…送り出し部
３…先端位置検出手段
１０…繰り出し機構
２０…繰り出しベルト
２１…駆動ローラ
２２…ローラ
２３…繰り出し面
３０…摩擦部
３１…シート分離ローラ
３１Ａ…位置設定部
３１Ａ１…孔部
３１Ａ２…ボールプランジャ
３１Ａ２ａ…円筒
３１Ａ２ｂ…ボール
３１Ａ２ｃ…スプリング
３１Ａ３…孔部
３１Ａ４…回転規制片
３１Ｃ…外周面
３１Ｃ１…高摩擦領域
３１Ｃ１ａ…高摩擦体
３１Ｃ１ｂ…溝
３１Ｃ２…低摩擦領域
３１Ｃ２ａ…低摩擦体
３１Ｃ２ｂ…溝
３２…軸
３２Ａ１…位置規制凹部
３２Ａ２…回転規制溝部
３２Ｂ１…回転方向規制部
３２Ｂ１ａ…内筒
３２Ｂ１ｂ…外筒
３２Ｂ１ｃ…転動体
３２Ｂ１ｄ…スプリング
３２Ｂ２…取り付け部
４０…ストック部
４１…ガイド部材
Ｃ…包装体
Ｃ０…最下位置の包装体
Ｃ１…前側端
Ｃ２…開口部
Ｃ３…両側端
Ｃ４，Ｃ８…シール部分
Ｃ５…後側端
Ｃ６，Ｃ７…開封用把持部
Ｆ…繰り出し方向
ｆｒ…順回転
ｒｒ…逆回転
Ｐｗ…遊び量
Ｐ１…幅寸法
Ｐ２…幅寸法
Ｗ…幅方向
【図１】
0006580981.tif 000002
【図２】
0006580981.tif 000003
【図３】
0006580981.tif 000004
【図４】
0006580981.tif 000005
【図５】
0006580981.tif 000006
【図６】
0006580981.tif 000007
【図７】
0006580981.tif 000008
【図８】
0006580981.tif 000009
【図９】
0006580981.tif 000010
【図１０】
0006580981.tif 000011
【図１１】
0006580981.tif 000012
【図１２】
0006580981.tif 000013
【図１３】
0006580981.tif 000014
【図１４】
0006580981.tif 000015
【図１５】
0006580981.tif 000016
【図１６】
0006580981.tif 000017
【図１７】
0006580981.tif 000018
【図１８】
0006580981.tif 000019
【図１９】
0006580981.tif 000020
【図２０】
0006580981.tif 000021
【図２１】
0006580981.tif 000022